(57)【要約】【課題】複数のルーバそれぞれの動作を個別に設定可能な室内ユニットにおいて、各ルーバの番号を簡単に認識できる室内ユニットと、それを備えた空気調和機を提供する。【解決手段】温度調整された空気を室内へ送り出す複数の吹出口と、該複数の吹出口にそれぞれ配置され、空気の吹出方向を制御する複数のルーバと、を備えた空気調和機の室内ユニットにおいて、前記複数のルーバそれぞれは、リモコンからの入力によって、動作を個別に設定できものであり、前記ルーバの個別設定開始時に、選択したルーバが所定の通知動作を実行する空気調和機の室内ユニット。【選択図】図１
2018076974.tif 000002
【特許請求の範囲】
【請求項１】
温度調整された空気を室内へ送り出す複数の吹出口と、
該複数の吹出口にそれぞれ配置され、空気の吹出方向を制御する複数のルーバと、
を備えた空気調和機の室内ユニットにおいて、
前記複数のルーバそれぞれは、リモコンからの入力によって、動作を個別に設定できるものであり、前記ルーバの個別設定開始時に、選択したルーバが所定の通知動作を実行することを特徴とする空気調和機の室内ユニット。
【請求項２】
温度調整された空気を室内へ送り出す複数の吹出口と、
該複数の吹出口にそれぞれ配置され、空気の吹出方向を制御する複数のルーバと、
を備えた空気調和機の室内ユニットにおいて、
前記複数のルーバそれぞれは、リモコンからの入力によって、動作を個別に設定できるものであり、前記ルーバの個別設定開始時に、前記複数のルーバが定められた順番に所定の通知動作を実行することを特徴とする空気調和機の室内ユニット。
【請求項３】
請求項１または請求項２に記載の空気調和機の室内ユニットにおいて、
前記所定の通知動作は、他のルーバと異なる動作であることを特徴とする空気調和機の室内ユニット。
【請求項４】
請求項３に記載の空気調和機において、
前記他のルーバと異なる動作は、スイングであることを特徴とする空気調和機の室内ユニット。
【請求項５】
請求項１から請求項４の何れか一項に記載の空気調和機において、
前記通知動作を実行する前のルーバ状態を記憶し、通知動作を実行した後に、ルーバが記憶された元の状態に戻ることを特徴とする空気調和機。
【請求項６】
請求項１から請求項５の何れか一項に記載の室内ユニットと、
前記室内ユニットを操作するリモコンと、を備えた空気調和機において、
前記リモコンは、
前記複数のルーバを操作する操作スイッチと、
前記複数のルーバに関する情報を表示する表示部と、
を有し、
前記表示部には、前記通知動作を実施しているルーバを特定する情報が表示されることを特徴とする空気調和機。
【発明の詳細な説明】
【技術分野】
【０００１】
本発明は、開き角度や動きが個別に設定できる複数のルーバを有する室内ユニット、または、その室内ユニットを備えた空気調和機に関する。
【背景技術】
【０００２】
空気調和機は、室内ユニットと、室外ユニットと、これらを接続する配管と、リモコンとから構成される。室内ユニットには様々な形態があり、その一種として、天井埋込カセットタイプがある。
【０００３】
天井埋込カセットタイプの室内ユニットでは、温度調整された空気を送り出すための複数の吹出口と、それぞれの吹出口に配置され、空気の吹出方向を制御するための複数のルーバが設けられている。これらのルーバは、開き角度や動きが個別に設定可能であり、例えば、特定方向にいる人への風当たりを抑えたい場合はルーバを横吹き方向に固定したり、広い範囲に風を送りたい場合はルーバをスイングに設定したりすることができる。
【０００４】
ルーバの動作を個別に設定する際に、個々のルーバのルーバ番号を容易に識別し、ユーザの使い勝手を高めた先行技術として特許文献１に記載のものがある。例えば、特許文献１の要約書には、「各吹出口や各フラップの識別を容易にできる室内機及び空気調和機を提供する」ため、「室内機１は、室内空間に向けて空調空気を吹き出すための複数の吹出口３２ａ〜３２ｄと、複数の吹出口３２ａ〜３２ｄにそれぞれ配置され、空調空気の吹出方向を個別に変更可能な略同一形状の複数のフラップ３５ａ〜３５ｄとを有し、複数の吹出口３２ａ〜３２ｄ近傍または複数のフラップ３５ａ〜３５ｄには、互いに異なる標識部６０ａ〜６０ｄがそれぞれ形成されている。」と記載されている。このように、吹出口近傍またはルーバに、夫々異なる標識部を設けることで、個々のルーバに割り振られたルーバ番号を認識できる技術が知られている。
【先行技術文献】
【特許文献】
【０００５】
【特許文献１】特開２０１１−９４９２４号公報
【発明の概要】
【発明が解決しようとする課題】
【０００６】
しかし、特許文献１では、室内ユニットの設置位置や高さ、周囲照明等の影響で、標識部が見えにくい場合がある。また、インテリアと調和させるために、室内ユニットのパネルをリペイントしたり、装飾を施したりすることで、標識部が視認できなくなり、各々のルーバ番号を認識できなくなる場合がある。
【０００７】
本発明は、上記の問題点を解決するためになされたものであり、ルーバの開き角度や動きが個別に設定可能な室内ユニットにおいて、ルーバの通知動作を目視するだけで、各ルーバに割り振られたルーバ番号を簡単に認識できるようにすることを目的とする。
【課題を解決するための手段】
【０００８】
本発明の空気調和機の室内ユニットは、上記の課題を達成するために、温度調整された空気を室内へ送り出す複数の吹出口と、該複数の吹出口にそれぞれ配置され、空気の吹出方向を制御する複数のルーバと、を備え、前記複数のルーバそれぞれは、リモコンからの入力によって、動作を個別に設定できるものであり、前記ルーバの個別設定開始時に、選択したルーバが所定の通知動作を実行するものとした。
【０００９】
また、温度調整された空気を室内へ送り出すための複数の吹出口と、前記該複数の吹出口にそれぞれ配置され、空気の吹出方向を制御するための複数のルーバと、を備え、前記複数のルーバそれぞれは、リモコンからの入力によって、動作を個別に設定できるものであり、前記ルーバの個別設定開始時に、前記複数のルーバが定められた順番に所定の通知動作を実行するものとした。
【発明の効果】
【００１０】
本発明によれば、ルーバの開き角度や動きが個別に設定可能な室内ユニットにおいて、ルーバの通知動作を目視するだけで、各々に割り振られたルーバ番号を簡単に認識できる。
【図面の簡単な説明】
【００１１】
【図１】実施例１の室内ユニットの外観斜視図である。
【図２】実施例１の室内ユニットの縦断面図である。
【図３】実施例１の室内ユニットを下方から見た横断面図である。
【図４】実施例１のリモコンの正面図である。
【図５】実施例１のルーバ個別設定方法を示すフローチャートである。
【図６Ａ】リモコンの表示部に表示されるメニュー画面である。
【図６Ｂ】リモコンの表示部に表示されるルーバ選択画面である。
【図６Ｃ】リモコンの表示部に表示されるルーバ設定画面である。
【図７】実施例２のルーバ個別設定方法を示すフローチャートである。
【発明を実施するための形態】
【００１２】
以下、図面を用いて、本発明の空気調和機の実施例を説明する。
【実施例１】
【００１３】
まず、本発明の実施例１に係る室内ユニットの例として、天井埋込カセットタイプの室内ユニット９０の構成について、図１〜図３を用いて具体的に説明する。
【００１４】
図１は天井埋込カセットタイプの室内ユニット９０の外観斜視図、図２はファン回転軸を含む縦断面図、図３は図２中のＡ−Ａ線で示す横断面を下方から見た断面図である。ここで、１は筐体、２はパネル、３は電気品箱、４はベルマウス、５はファン、６はファンモータ、７はシャフト、８は熱交換器、９はドレンパン、１０は仕切り板、２０は機械室、２１１は吹出口である。また、３０はファン５の回転軸を、実線矢印はファン５の回転方向を、破線矢印は空気の流れ方向を示している。
【００１５】
図２に示すように、筐体１は、上面を塞ぐ天板１０１と、天板１０１の周縁から下方に延出し、天板１０１と直交する側面を構成する側板１０２と、天板１０１と側板１０２の内側を覆う断熱材１０３から構成されている。
【００１６】
また、図１と図２に示すように、筐体１の下には、略四角板状のパネル２が取り付けられている。このパネル２の中央部には、室内から空気を吸入するグリル２０１が設けられており、その上方には、吸入空気中の塵埃を取り除くフィルタ２０２が備え付けられている。また、グリル２０１の外周に位置するパネル２の縁沿いには、温度調整された空気を室内に送り出す細長い矩形状の吹出口２１１が設けられており、夫々には吹出す空気の向きを制御する略長方形薄板状のルーバ２０３が設けられている。
【００１７】
各々のルーバ２０３（２０３ａ〜２０３ｄ）は、長手方向の両端にある連結軸（図示せず）を介してルーバモータ（図示せず）に接続されており、このルーバモータの駆動によって、ルーバ２０３は、長手方向の軸周りを一定の範囲内で回転可能であり、空気の吹出方向を制御する役割を果たす。具体的には、ルーバ２０３は、連続的に回転し空気の吹出方向を上下に周期的に変更するスイング状態、または、所定の開き角度に固定され空気の吹出方向を一定にする停止状態に設定できる。停止状態におけるルーバ２０３の開き角度は、例えば天井に対して略水平になる開き水平角度と、前記よりも下向きで略垂直になる開き垂直角度との間で、数段階に変更可能である（後述する図６Ｃ参照）。
【００１８】
また、図２に示すように、筐体１の中には、室内制御基板（図示せず）等を収容する電気品箱３と、グリル２０１より取り込まれた空気をファン５へ導くベルマウス４と、回転軸方向から空気を吸入し外周方向へ吐出するファン５と、ファン５を駆動するファンモータ６と、ファン５とファンモータ６を接続するシャフト７と、ファン５から吐出された空気と冷媒の間で熱を交換させる熱交換器８と、熱交換器８の下方に配置され、冷房運転時に熱交換器８に生じた結露水を受けるためのドレンパン９が設けられている。
【００１９】
熱交換器８は、例えば図３に示すように、略五角形状に曲げられ、ファン５を取り囲むように配置されている。熱交換器８は、冷房運転時に蒸発器として機能し、通過する空気を冷却する一方、暖房運転時には凝縮器となり、通過する空気を加熱する役割を果たす。
【００２０】
また、熱交換器８の両端を結合する仕切り板１０と、筐体１との間に、膨張弁（図示せず）などを収容する機械室２０が形成されている。
【００２１】
次に、図２中の破線矢印を用いて、空気の流れについて説明する。ここに示すように、ファンモータ６の駆動によってファン５が回転すると、室内空気がグリル２０１より室内ユニット９０内に取り込まれ、フィルタ２０２とベルマウス４を通過した後に、ファン５に吸入される。ファン５で昇圧した空気は、ファン５の外周方向へ排出され、熱交換器８に流入し、冷媒との熱交換によって加熱または冷却された後に、筐体１とドレンパン９の間を経て、吹出口２１１より室内へ送り出される。
【００２２】
吹出口２１１から流出する空気の流れ方向は、ルーバ２０３によって制御される。また、ルーバ２０３は、すべてが同じ動作を取る一括設定、または、それぞれの開き角度や動きを個別に指定可能な個別設定にすることができる。
【００２３】
ルーバ設定は、壁などに設置したリモコン９１で行う。図４に、リモコン９１の例を示す。ここで、９１１はリモコン制御基板（図示せず）等を収容するケーシング、９１２は表示部、９１３〜９１８は操作スイッチである。なお、表示部９１２の「風向」欄に「個別」が点灯するかどうかで、ルーバ個別設定の有無を確認できる。
【００２４】
次に、図４のリモコンの正面図、図５のフローチャート、および、図６Ａ〜図６Ｃのリモコンの表示部の表示画面を用いて、室内ユニット９０のルーバ２０３ｃの設定を変更したい場合を例に、本実施例におけるルーバ個別設定の方法を説明する。
【００２５】
ユーザがある方向のルーバ２０３の個別設定を変更したい場合は、そのルーバ番号を認識したうえで、リモコン９１を操作し、そのルーバ番号に対応するルーバ２０３の設定を変更する必要がある。以下では、所望のルーバ２０３のルーバ番号を認識する方法、および、個別設定の具体的な方法を詳細に説明する。
【００２６】
ユーザがルーバの設定を開始する場合（Ｓ１）、先ず、リモコン９１のメニュースイッチ９１６を押して、図６Ａに示すメニュー画面を呼び出す（Ｓ２）。次に、リモコン９１の十字スイッチ９１４を操作して、メニューから「個別ルーバ設定」を選択し、決定スイッチ９１３を押すと（Ｓ３）、図６Ｂのようなルーバ選択画面が表示される（Ｓ４）。図６Ｂでは、ルーバ２０３のルーバ番号が「室内ユニットＮｏ．」と「ルーバＮｏ．」の組み合わせで表示されており、画面中の「９０−１」、「９０−２」、「９０−３」、「９０−４」は夫々、室内ユニット９０のルーバ２０３ａ、２０３ｂ、２０３ｃ、２０３ｄのルーバ番号を意味する。なお、図６Ｂに「選択中のルーバのみスイング」と表示するように、図６Ｂの表示中は、反転表示で選択中のルーバのみが、通知動作としてのスイング動作を実行し、他のルーバは動作を停止している（Ｓ５）。
【００２７】
ステップＳ５で、ユーザが十字スイッチ９１４を操作し、ルーバ２０３に通知動作を順次実行させると、あるタイミングで所望のルーバ２０３ｃが通知動作を実行する。それを視認したユーザは、このときに表示部９１２で選択されているルーバ番号を確認することで、ルーバ２０３ｃのルーバ番号が「９０−３」であることを特定することができる。そして、決定スイッチ９１３を押して個別設定の対象をルーバ２０３ｃに確定すると（Ｓ６）、各々のルーバ２０３の状態が設定開始時の状態に戻されるとともに（Ｓ７）、表示部９１２には図６Ｃに示すルーバ設定画面が表示される。なお、図６Ｃでは、ルーバ番号を構成する「ルーバＮｏ．」である「３」が反転表示されており、ルーバ２０３ｃの個別設定中であることが表示されている。この画面が表示されているときに、十字スイッチ９１４等を操作することで、選択したルーバの開き角度、もしくは、作動状態（停止、スイング）を変更することができる（Ｓ８）。最後に、決定スイッチ９１３を押してルーバ２０３ｃの設定を確定すると（Ｓ９）、ルーバ２０３ｃの個別設定が完了する（Ｓ１０）。なお、ステップＳ１０の後には、図６Ａに示すメニュー画面に戻っても良いし、図６Ｂに示すルーバ選択画面に戻っても良い。
【００２８】
以下、図５の特徴を更に詳細に説明する。ステップＳ４では、選択中のルーバ２０３はスイング状態、他のルーバ２０３は停止状態（例えば天井に対して略水平な開き水平角度）とする通知動作を実行する。よって、ユーザは、図６Ｂに示すルーバ選択画面中の「選択中のルーバのみスイング」のガイドに従って、各々のルーバ動作を目視するだけで、ルーバとルーバ番号の関係を簡単に把握できるので、設定したいルーバのルーバ番号を特定し、そのルーバの個別動作を設定する際の使い勝手が向上する。なお、選択中のルーバを停止状態とし、他のルーバをスイング状態とする通知動作であってもよい。
【００２９】
また、ステップＳ６では、ルーバ選択が確定した後、すべてのルーバは設定開始前の状態に戻る。つまり、ルーバ個別設定を開始する前に停止状態にあったルーバは元の開き角度に、スイング状態にあったルーバはスイング状態に戻る。このとき、図６Ｃに示すように、ルーバそれぞれの設定情報がリモコン９１に一覧表示される。よって、設定変更したいルーバの元の状態を目視で把握するとともに、他のルーバ位置も参照できるので、ユーザの使い勝手がよくなる。
【００３０】
以上で説明したように、実施例１の空気調和機の室内機によれば、ルーバ選択画面表示中のルーバの通知動作を目視するだけで、各々に割り振られたルーバ番号を簡単に認識できるので、個別設定したいルーバのルーバ番号を簡単に特定することができ、所望の個別設定を容易に実現することができる。
【実施例２】
【００３１】
次に、図７を用いて、実施例２の空気調和機を説明する。なお、実施例１と共通する点は重複説明を省略する。
【００３２】
実施例１では、図６Ｂに示したように、リモコン９１の表示部９１２に「選択中のルーバのみスイング」と表示するとともに、選択中のルーバ２０３に通知動作をさせたので、ユーザは通知動作中のルーバ２０３と表示部９１２で選択中のルーバ番号の対応を特定できる。しかし、リモコン９１が室内ユニット９０から離れた場所に設置されており、リモコン９１の近傍から室内ユニット９０を目視できない場合は、実施例１の方法では、選択中のルーバ番号とルーバ２０３の対応を特定することができない。
【００３３】
そこで、実施例２では、室内ユニット９０の動きを観測するだけで、夫々のルーバ２０３のルーバ番号を特定できるようにした。以下では、これを実現するための詳細を説明する。
【００３４】
実施例２では、実施例１の図５のフローチャートのステップＳ４とＳ５を、後述するステップＳ４ａとステップＳ５ａに置換したものである。すなわち、実施例１のＳ４では表示部９１２に「選択中のルーバのみスイング」と表示したが、実施例２のＳ４ａでは「ルーバ番号順にスイング→全停止を繰り返す」と表示する。また、実施例１のＳ５では、選択中のルーバ２０３のみスイングさせているが、実施例２のＳ５ａでは、ルーバ２０３をルーバ番号順にスイングさせている。
【００３５】
これにより、ユーザは、順番にスイングされるルーバ２０３を目視することで、リモコン９１の表示部９１２を目視できない状況であっても、各々のルーバ番号を特定することができる。つまり、ルーバ番号の特定には、実施例１では室内ユニット９０とリモコン９１の両方をともに目視する必要があるのに対し、実施例２では室内ユニット９０のみを目視すれば良いという相違がある。
【００３６】
なお、Ｓ４２で行われる「ルーバ番号順にスイング→全停止を繰り返す」の処理は、
（ルーバ２０３ａをスイング、他は停止状態を１０秒間継続）→
（ルーバ２０３ｂをスイング、他は停止状態を１０秒間継続）→
（ルーバ２０３ｃをスイング、他は停止状態を１０秒間継続）→
（ルーバ２０３ｄをスイング、他は停止状態を１０秒間継続）→
（すべてのルーバを停止状態を１０秒間継続）
を繰り返すことによって実行される。
【００３７】
これにより、リモコン９１が室内ユニット９０から遠く離れており、ルーバ２０３の動きを見ながらリモコン９１を操作することができなくても、スイングした順番からルーバ番号を簡単に特定することができ、リモコン９１から特定したルーバ番号の個別設定を行うことで、所望のルーバ２０３の個別設定を実現することができる。なお、上記の例では、ルーバ２０３を順番にスイングさせることで各々のルーバ番号を通知したが、ルーバ２０３を順番に停止することで各々のルーバ番号を通知しても良い。すなわち、ステップＳ５ａでの処理を、「ルーバ番号順にルーバをスイングさせる」から「ルーバ番号順にルーバを停止させる」に代えてルーバ番号を知らせる通知動作を実現しても良い。なお、この処理は具体的には、
（ルーバ２０３ａを停止状態、他はスイングを１０秒間継続）→
（ルーバ２０３ｂを停止状態、他はスイングを１０秒間継続）→
（ルーバ２０３ｃを停止状態、他はスイングを１０秒間継続）→
（ルーバ２０３ｄを停止状態、他はスイングを１０秒間継続）→
（すべてのルーバを停止状態を１０秒）
で実現することができる。
【００３８】
なお、本実施例では、ルーバ動作の切り替える間隔を１０秒としたが、それより長くても短くてもよい。また、ルーバ選択が確定した後、実施例１と同様に、すべてのルーバは設定開始前の状態に戻る。
【００３９】
以上、四方向天井埋込カセットタイプの室内ユニットについて説明したが、複数の吹出口とルーバを有する室内ユニットであれば、本発明は適用可能である。また、具体的な機器構成や設定しかた等は、上記の実施例に限られたものではなく、本発明の要旨を逸脱しない範囲で変更できる。さらに、実施例１と実施例２に記載の通知動作の中からどちらか一つを選んで採用してもよいが、両方とも搭載し、ユーザが選択できるようにしてもよい。
【符号の説明】
【００４０】
１  筐体、
１０１  天板、
１０２  側板、
１０３  断熱材、
２  パネル、
２０１  グリル、
２０２  フィルタ
２０３、２０３ａ〜２０３ｄ  ルーバ、
２１１、２１１ａ〜２１１ｄ  吹出口
３  電気品箱、
４  ベルマウス、
５  ファン、
６  ファンモータ、
７  シャフト、
８  熱交換器、
９  ドレンパン、
１０  仕切り板、
２０  機械室、
９０  室内ユニット、
９１  リモコン、
９１１  ケーシング、
９１２  表示部、
９１３  決定スイッチ、
９１４  十字スイッチ、
９１５  運転／停止スイッチ、
９１６  メニュースイッチ、
９１７  戻る／ガイドスイッチ
９１８  節電スイッチ
【図１】
2018076974.tif 000003
【図２】
2018076974.tif 000004
【図３】
2018076974.tif 000005
【図４】
2018076974.tif 000006
【図５】
2018076974.tif 000007
【図６Ａ】
2018076974.tif 000008
【図６Ｂ】
2018076974.tif 000009
【図６Ｃ】
2018076974.tif 000010
【図７】
2018076974.tif 000011